(57)【要約】【課題】測定値の変動の大きさの程度を的確に把握可能な評価値を提供する。【解決手段】測定値が予め規定された条件（しきい値Ｖｔを下回るとの条件等）を満たす状態の開始時点（時点ｔ１１ａ，ｔ２１ａ，ｔ３１）および終了時点（時点ｔ１ｎａ，ｔ２ｎａ，ｔ３ｎａ）をそれぞれ特定する第１の処理と、開始時点から終了時点までの第１の時間（時間Ｔ１，Ｔ２，Ｔ３）内に測定された測定値のなかの予め規定された条件を満たすピーク値（電圧値Ｖ１，Ｖ２，Ｖ３）を特定する第２の処理と、第１の時間よりも短い予め規定された第２の時間毎に第２の時間内に測定された測定値の代表値をそれぞれ特定する第３の処理と、第２の時間および各代表値に基づいて第１の時間内に測定された各測定値が予め規定された条件を満たす程度を示す評価値を特定する第４の処理とを実行し、特定した評価値をピーク値に関連付けて評価用データを生成する。【選択図】図２
2018121427.tif 000002
【特許請求の範囲】
【請求項１】
予め規定された周期で測定された複数の測定値が記録されている測定値データに基づき、当該各測定値のなかから予め規定された条件を満たす測定値を特定し、特定した当該測定値に基づいて評価用データを生成する処理部を備えた測定データ処理装置であって、
前記測定値が予め規定された第１の値を下回るとの条件と、前記測定値が予め規定された第２の値を超えるとの条件との少なくとも一方の条件を前記予め規定された条件として規定可能に構成され、
前記処理部は、前記測定値が前記少なくとも一方の条件を満たす状態の開始時点および終了時点をそれぞれ特定する第１の処理と、前記開始時点から前記終了時点までの第１の時間内に測定された前記測定値のなかの前記少なくとも一方の条件を満たすピーク値を特定する第２の処理と、前記第１の時間内の当該第１の時間よりも短い予め規定された第２の時間毎に当該第２の時間内に測定された前記測定値の代表値をそれぞれ特定する第３の処理と、前記第２の時間および前記各代表値に基づいて前記第１の時間内に測定された前記各測定値が前記少なくとも一方の条件を満たす程度を示す評価値を特定する第４の処理とを実行し、前記評価値を前記ピーク値に関連付けて前記評価用データを生成する測定データ処理装置。
【請求項２】
予め規定された周期で測定された複数の測定値が記録されている測定値データに基づき、当該各測定値のなかから予め規定された条件を満たす測定値を特定し、特定した当該測定値に基づいて評価用データを生成する処理部を備えた測定データ処理装置であって、
前記測定値が予め規定された第１の値を下回るとの条件と、前記測定値が予め規定された第２の値を超えるとの条件との少なくとも一方の条件を前記予め規定された条件として規定可能に構成され、
前記処理部は、前記測定値が前記少なくとも一方の条件を満たす状態の開始時点および終了時点をそれぞれ特定する処理Ａと、前記開始時点から前記終了時点までの第１の時間を特定する処理Ｂと、前記第１の時間内に測定された前記測定値のなかの前記少なくとも一方の条件を満たすピーク値を特定する処理Ｃと、前記第１の時間および前記ピーク値に基づいて当該第１の時間内に測定された前記各測定値が前記少なくとも一方の条件を満たす程度を示す評価値を特定する処理Ｄとを実行し、前記評価値を前記ピーク値に関連付けて前記評価用データを生成する測定データ処理装置。
【請求項３】
前記処理部は、前記測定値データにおける前記各測定値のうちの最先の測定値が測定された時点から最新の測定値が測定された時点までの第３の時間内に前記第１の時間が複数存在するときに、当該各第１の時間毎の前記評価値の大きさの順位を特定し、特定した当該順位を当該第１の時間毎の当該評価値および当該第１の時間毎の前記ピーク値にそれぞれ関連付けて前記評価用データを生成する請求項１または２記載の測定データ処理装置。
【請求項４】
前記処理部は、前記評価用データに基づき、前記各測定値が前記少なくとも一方の条件を満たす程度が最も高い前記第１の時間の前記ピーク値と当該第１の時間とを少なくとも特定可能に報知する請求項１から３のいずれかに記載の測定データ処理装置。
【請求項５】
請求項１から４のいずれかに記載の測定データ処理装置と、
前記予め規定された周期で測定を行う測定部と、
前記測定部を制御して測定を実行させ、かつ当該測定部によって測定された前記測定値に基づいて前記測定値データを生成すると共に、前記処理部として前記評価用データを生成する主処理部とを備えている測定装置。
【請求項６】
前記主処理部は、前記測定値データを生成する処理と並行して前記評価用データを生成する処理を実行する請求項５記載の測定装置。
【発明の詳細な説明】
【技術分野】
【０００１】
本発明は、予め規定された周期で測定された複数の測定値が記録されている測定値データに基づいて評価用データを生成する測定データ処理装置、および測定処理を実行して測定値データを生成すると共に測定データ処理装置を備えて評価用データを生成可能に構成された測定装置に関するものである。
【背景技術】
【０００２】
この種の測定データ処理装置を備えた測定装置として、出願人は、電源ライン等を監視対象として電流値、電圧値および電力量などを測定してその測定値を記録可能な電源監視レコーダを下記の特許文献に開示している。出願人が開示している電源監視レコーダは、電流入力部、電圧入力部、波形取込部および電源供給部等を有して電流クランプ（電流センサ）および電圧プローブを介して電流値や電圧値を測定する測定部を備えると共に、操作部、表示部、制御部および記憶部などを備えて構成されている。
【０００３】
この電源監視レコーダによって、例えば分電盤内に配設されている漏電遮断器の動作原因を特定するには、任意のイベント発生条件（監視すべき現象が発生したと判定する条件）を設定すると共に、電流クランプ、電圧プローブおよび電源コードを分電盤の所定部位に接続する。この状態で処理開始を指示されたときには、電流入力部が負荷電流等を所定のサンプリング周期でサンプリングすることで電流波形データを生成して波形取込部に出力すると共に、電圧入力部が電流入力部のサンプリング周期と同じ周期で線間電圧等をサンプリングすることで電圧波形データを生成して波形取込部に出力する。また、波形取込部が電流波形データおよび電圧波形データを記憶部に記憶させる。
【０００４】
一方、制御部は、波形の１周期分の電流波形データおよび電圧波形データが記憶部に記憶される都度、実効値や電力値を算出して対応する波形データに関連付けて記憶部に記憶させる。また、制御部は、各実効値を算出する都度、その時点において特定されている実効値の最大値と比較して、より大きな実効値を選択することにより、所定周期毎の実効値の最大値を算出する。さらに、制御部は、各実効値を算出する都度、その時点において特定されている実効値の最小値と比較して、より小さな実効値を選択することにより、所定周期毎の実効値の最小値を算出する。また、制御部は、電力値の最大値および最小値についても実効値の最大値および最小値と同様に算出して記憶部に記憶させる。
【０００５】
また、制御部は、上記の各処理を繰り返し実行しつつ、イベントが発生したか否かを検出するイベント検出処理を実行する。このイベント検出処理では、制御部は、例えば実効値が基準電圧を下回るというイベント発生条件が満たされたか否かを検出する。この際に、実効値が基準電圧を下回ってイベント発生条件が満たされたときに、制御部は、原因特定処理を実行し、その判定結果と、イベントの発生時点における各測定値等を波形データの波形と関連付けて表示部に表示させる。これにより、監視対象の分電盤においてどの程度の電圧が低下したかを特定可能な情報が表示される。
【先行技術文献】
【特許文献】
【０００６】
【特許文献１】特開２００６−２３８５１１号公報（第５−１０頁、第１−３図）
【発明の概要】
【発明が解決しようとする課題】
【０００７】
ところが、出願人が開示している電源監視レコーダには、以下のような改善すべき課題が存在する。具体的には、出願人が開示している電源監視レコーダでは、電流値や電圧値の測定処理および測定値の記憶部への記憶と、実効値や電力値の算出、最大値や最小値の特定、および特定結果の記憶部への記憶と、イベント検出処理および原因特定処理（検出結果や特定結果の記憶部への記憶および表示部への表示）とを並行して実行可能に構成されている。
【０００８】
この場合、この種の装置では、例えば電圧ディップの有無を監視する（測定および記録する）際に、電圧ディップが発生したと判定するしきい値をイベント発生条件として設定しておき、処理時には、測定される電圧値がしきい値を下回ってからしきい値を超える状態に復帰するまでの間における最小値を記録・表示する構成が採用されている。これにより、この種の装置では、電圧ディップが発生したか否かを特定できるだけでなく、電圧値がどの程度低下したか（発生した電圧ディップの大きさの程度）を特定することが可能となっている。
【０００９】
しかしながら、出願人が開示している電源監視レコーダなどでは、例えば、最小値はそれほど小さくない（電圧の低下度合いがそれほど大きくない）ものの、しきい値を下回っている時間が非常に長い電圧ディップが発生したとしても、記録・表示される最小値がそれほど小さな値ではないため、小規模な電圧ディップが発生したと誤認されるおそれがある。なお、具体的な説明を省略するが、電圧ディップの監視時だけでなく、電圧スウェル等の監視時や、電流値の変動の監視時においても、監視すべき現象が発生している期間内の最大値や最小値だけが記録・表示されるため、発生した現象の大きさの程度を的確に把握するのが困難となるおそれがある。したがって、この点を改善するのが好ましい。
【００１０】
本発明は、かかる解決すべき問題点に鑑みてなされたものであり、測定値の変動の大きさの程度を的確に把握可能な評価値を提供し得る測定データ処理装置および測定装置を提供することを主目的とする。
【課題を解決するための手段】
【００１１】
上記目的を達成すべく請求項１記載の測定データ処理装置は、予め規定された周期で測定された複数の測定値が記録されている測定値データに基づき、当該各測定値のなかから予め規定された条件を満たす測定値を特定し、特定した当該測定値に基づいて評価用データを生成する処理部を備えた測定データ処理装置であって、前記測定値が予め規定された第１の値を下回るとの条件と、前記測定値が予め規定された第２の値を超えるとの条件との少なくとも一方の条件を前記予め規定された条件として規定可能に構成され、前記処理部は、前記測定値が前記少なくとも一方の条件を満たす状態の開始時点および終了時点をそれぞれ特定する第１の処理と、前記開始時点から前記終了時点までの第１の時間内に測定された前記測定値のなかの前記少なくとも一方の条件を満たすピーク値を特定する第２の処理と、前記第１の時間内の当該第１の時間よりも短い予め規定された第２の時間毎に当該第２の時間内に測定された前記測定値の代表値をそれぞれ特定する第３の処理と、前記第２の時間および前記各代表値に基づいて前記第１の時間内に測定された前記各測定値が前記少なくとも一方の条件を満たす程度を示す評価値を特定する第４の処理とを実行し、前記評価値を前記ピーク値に関連付けて前記評価用データを生成する。
【００１２】
また、請求項２記載の測定データ処理装置は、予め規定された周期で測定された複数の測定値が記録されている測定値データに基づき、当該各測定値のなかから予め規定された条件を満たす測定値を特定し、特定した当該測定値に基づいて評価用データを生成する処理部を備えた測定データ処理装置であって、前記測定値が予め規定された第１の値を下回るとの条件と、前記測定値が予め規定された第２の値を超えるとの条件との少なくとも一方の条件を前記予め規定された条件として規定可能に構成され、前記処理部は、前記測定値が前記少なくとも一方の条件を満たす状態の開始時点および終了時点をそれぞれ特定する処理Ａと、前記開始時点から前記終了時点までの第１の時間を特定する処理Ｂと、前記第１の時間内に測定された前記測定値のなかの前記少なくとも一方の条件を満たすピーク値を特定する処理Ｃと、前記第１の時間および前記ピーク値に基づいて当該第１の時間内に測定された前記各測定値が前記少なくとも一方の条件を満たす程度を示す評価値を特定する処理Ｄとを実行し、前記評価値を前記ピーク値に関連付けて前記評価用データを生成する。
【００１３】
さらに、請求項３記載の測定データ処理装置は、請求項１または２記載の測定データ処理装置において、前記処理部は、前記測定値データにおける前記各測定値のうちの最先の測定値が測定された時点から最新の測定値が測定された時点までの第３の時間内に前記第１の時間が複数存在するときに、当該各第１の時間毎の前記評価値の大きさの順位を特定し、特定した当該順位を当該第１の時間毎の当該評価値および当該第１の時間毎の前記ピーク値にそれぞれ関連付けて前記評価用データを生成する。
【００１４】
また、請求項４記載の測定データ処理装置は、請求項１から３のいずれかに記載の測定データ処理装置において、前記処理部は、前記評価用データに基づき、少なくとも前記各測定値が前記少なくとも一方の条件を満たす程度が最も高い前記第１の時間の前記ピーク値と当該第１の時間とを特定可能に報知する。
【００１５】
また、請求項５記載の測定装置は、請求項１から４のいずれかに記載の測定データ処理装置と、前記予め規定された周期で測定を行う測定部と、前記測定部を制御して測定を実行させ、かつ当該測定部によって測定された前記測定値に基づいて前記測定値データを生成すると共に、前記処理部として前記評価用データを生成する主処理部とを備えている。
【００１６】
さらに、請求項６記載の測定装置は、請求項５記載の測定装置において、前記主処理部は、前記測定値データを生成する処理と並行して前記評価用データを生成する処理を実行する。
【発明の効果】
【００１７】
請求項１記載の測定データ処理装置では、処理部が、測定値が予め規定された条件としての少なくとも一方の条件を満たす状態の開始時点および終了時点をそれぞれ特定する第１の処理と、開始時点から終了時点までの第１の時間内に測定された測定値のなかの少なくとも一方の条件を満たすピーク値を特定する第２の処理と、第１の時間内の第１の時間よりも短い予め規定された第２の時間毎に第２の時間内に測定された測定値の代表値をそれぞれ特定する第３の処理と、第２の時間および各代表値に基づいて第１の時間内に測定された各測定値が少なくとも一方の条件を満たす程度を示す評価値を特定する第４の処理とを実行し、評価値をピーク値に関連付けて評価用データを生成する。また、請求項５記載の測定装置では、上記の測定データ処理装置と、予め規定された周期で測定を行う測定部と、測定部を制御して測定を実行させ、かつ測定部によって測定された測定値に基づいて測定値データを生成すると共に、処理部として評価用データを生成する主処理部とを備えている。
【００１８】
したがって、請求項１記載の測定データ処理装置、および請求項５記載の測定装置によれば、測定値が予め規定された条件（少なくとも一方の条件）を満たしていた第１の時間内における各第２の時間毎の各代表値の大きさが反映された評価値が特定されて評価用データが生成されるため、単にピーク値の大きさだけが特定・記憶される構成の装置とは異なり、測定値の変動の大きさの程度（少なくとも一方の条件を満たした程度）を的確に把握可能な情報を提供することができる。
【００１９】
請求項２記載の測定データ処理装置では、処理部が、測定値が予め規定された条件としての少なくとも一方の条件を満たす状態の開始時点および終了時点をそれぞれ特定する処理Ａと、開始時点から終了時点までの第１の時間を特定する処理Ｂと、第１の時間内に測定された測定値のなかの少なくとも一方の条件を満たすピーク値を特定する処理Ｃと、第１の時間およびピーク値に基づいて第１の時間内に測定された各測定値が少なくとも一方の条件を満たす程度を示す評価値を特定する処理Ｄとを実行し、評価値をピーク値に関連付けて評価用データを生成する。また、請求項５記載の測定装置では、上記の測定データ処理装置と、予め規定された周期で測定を行う測定部と、測定部を制御して測定を実行させ、かつ測定部によって測定された測定値に基づいて測定値データを生成すると共に、処理部として評価用データを生成する主処理部とを備えている。
【００２０】
したがって、請求項２記載の測定データ処理装置、および請求項５記載の測定装置によれば、測定値が予め規定された条件（少なくとも一方の条件）を満たしていた第１の時間の長さが反映された評価値が特定されて評価用データが生成されるため、単にピーク値の大きさだけが特定・記憶される構成の装置とは異なり、測定値の変動の大きさの程度（少なくとも一方の条件を満たした程度）を的確に把握可能な情報を提供することができる。
【００２１】
請求項３記載の測定データ処理装置、および請求項５記載の測定装置によれば、処理部が、測定値データにおける各測定値のうちの最先の測定値が測定された時点から最新の測定値が測定された時点までの第３の時間内に第１の時間が複数存在するときに、各第１の時間毎の評価値の大きさの順位を特定し、特定した順位を第１の時間毎の評価値および第１の時間毎のピーク値にそれぞれ関連付けて評価用データを生成することにより、各評価値の大きさの順位を確実かつ容易に把握させることができる。
【００２２】
請求項４記載の測定データ処理装置、および請求項５記載の測定装置によれば、処理部が、評価用データに基づき、各測定値が予め規定された条件としての少なくとも一方の条件を満たす程度が最も高い第１の時間のピーク値と第１の時間とを少なくとも特定可能に報知することにより、この種の測定値データの分析に不慣れな者に対しても測定値の変動の大きさの程度（少なくとも一方の条件を満たした程度）を確実かつ容易に把握させることができる。
【００２３】
請求項６記載の測定装置によれば、主処理部が、測定値データを生成する処理と並行して評価用データを生成する処理を実行することにより、測定値データの生成が完了したときに、その時点までの測定値の変動の大きさの程度を把握し得る評価用データの生成も完了しているため、測定値の変動の状態をリアルタイムに把握させることができる。
【図面の簡単な説明】
【００２４】
【図１】測定装置１の構成を示す構成図である。
【図２】測定される電圧値の変動の一例について説明するための説明図である。
【図３】測定装置１による測定データ処理の方法について説明するための説明図である。
【図４】測定装置１による測定データ処理の方法について説明するための他の説明図である。
【図５】測定装置１による測定データ処理の他の方法について説明するための説明図である。
【図６】測定装置１による測定データ処理のさらに他の方法について説明するための説明図である。
【発明を実施するための形態】
【００２５】
以下、測定データ処理装置および測定装置の実施の形態について、添付図面を参照して説明する。
【００２６】
最初に、測定装置１の構成について説明する。図１に示す測定装置１は、「測定データ処理装置」を一体的に備えた「測定装置」の一例である電源監視レコーダであって、測定部２、操作部３、表示部４、処理部５および記憶部６を備えて構成されている。なお、本例の測定装置１では、上記の各構成要素２〜６のうちの測定部２を除く構成要素によって「測定データ処理装置」が構成されている。
【００２７】
測定部２は、「測定部」の一例であって、処理部５の制御に従い、測定対象（一例として、電源ライン１０）を流れる電流の電流値や電源ライン１０の電圧値などの各種被測定量を測定して予め規定された周期で測定値データＤ１を生成すると共に、生成した測定値データＤ１（「測定値データ」の一例）を処理部５に出力する。
【００２８】
操作部３は、測定装置１の動作条件の設定操作や、測定部２による上記の被測定量の測定処理を開始／停止させる操作などが可能な複数の操作スイッチを備え（図示せず）、スイッチ操作に応じた操作信号を処理部５に出力する。表示部４は、処理部５の制御に従い、動作条件の設定画面や、測定結果を示す測定結果表示画面など（いずれも図示せず）を表示する。
【００２９】
処理部５は、「測定データ処理装置」における「処理部」に相当すると共に「測定装置」における「主処理部」に相当し、測定装置１を総括的に制御する。具体的には、処理部５は、操作部３等の操作等によって指定される動作条件に基づき、動作条件データＤ０を生成して記憶部６に記憶させる。
【００３０】
また、処理部５は、操作部３からの操作信号に応じて測定部２を制御して上記の測定処理を実行させると共に、測定部２から出力される測定値データＤ１を記憶部６に順次記憶させる。さらに、処理部５は、記憶部６に記憶させた測定値データＤ１，Ｄ１・・に基づいて測定値の実効値などを特定し、特定した値（「予め規定された周期で測定された複数の測定値」の一例）を記録した測定値データＤ２（「測定値データ」の一例）を生成して記憶部６に記憶させる。
【００３１】
また、処理部５は、記憶部６に記憶させた測定値データＤ２，Ｄ２・・に基づき、各測定値データＤ２の値（測定値）のなかから「予め規定された条件（少なくとも一方の条件）」を満たす測定値を特定し、特定した測定値に基づいて評価用データＤ３（「評価用データ」の一例）を生成する「データ生成処理」を実行する。さらに、処理部５は、生成した測定値データＤ２および評価用データＤ３に基づき、測定対象を評価し得る情報（測定結果等）を表示部４に表示させる「表示処理」を実行する。なお、上記の「データ生成処理」や「表示処理」については、後に具体的な例を挙げて詳細に説明する。
【００３２】
記憶部６は、処理部５の動作プログラムや、上記の動作条件データＤ０、測定値データＤ１，Ｄ２および評価用データＤ３などを記憶する。なお、測定値データＤ２や評価用データＤ３などについては、測定装置１に内蔵の記憶部６に代えて、測定装置１に接続された外部記憶装置（リムーバブルメモリ等）に記憶させる構成を採用することもできる。
【００３３】
次に、測定装置１の使用方法の一例について、添付図面を参照して説明する。なお、この測定装置１では、出願人が上記特許文献に開示している電源監視レコーダと同様にして電流値、電圧値および電力量などの各種被測定量を測定可能に構成されているが、「測定データ処理装置」および「測定装置」の構成についての理解を容易とするために、以下、電圧ディップの有無の監視を目的として、電源ライン１０の電圧値を「測定値」として測定しつつ「評価用データ」を生成する使用方法を例に挙げて説明する。
【００３４】
この測定装置１の使用に際しては、まず、操作部３を制御して動作条件（処理条件）を設定する。具体的には、電圧ディップの有無の監視を目的とする本例では、測定項目として「電圧値（実効値）」を指定すると共に、イベント発生条件として電圧ディップが発生したと判定するしきい値Ｖｔ（「しきい値Ｖｔを下回ったときにイベント（電圧ディップ）が発生したと判定する」との動作条件）を設定する（「予め規定された第１の値を下回るとの条件」が「予め規定された条件」としての「少なくとも一方の条件」として規定された状態の一例）。
【００３５】
また、一例として、１００Ｖ・５０Ｈｚの商用交流が電源ライン１０に供給されているときには、商用交流の１周期の１／２に対応する時間間隔（すなわち、１０ｍｓ間隔：「予め規定された周期」の一例）で電圧値の実効値を測定するように設定する。これに応じて、処理部５は、設定された条件を記録した動作条件データＤ０を生成して記憶部６に記憶させる。
【００３６】
次いで、測定装置１（測定部２）を電源ライン１０に接続した状態で操作部３を操作して処理を開始させる。この際に、処理部５は、記憶部６に記憶させた上記の動作条件データＤ０に基づいて測定部２を制御することにより、１０ｍｓ間隔で測定値データＤ１を出力する（一例として、１０ｍｓの間に得られる複数のサンプリング値の積算値を測定値データＤ１として出力する）ように測定処理を実行させると共に、出力された測定値データＤ１を記憶部６に順次記憶させる。
【００３７】
また、処理部５は、一例として、測定部２から２つ目以降の新たな測定値データＤ１が出力される都度、商用交流の１周期分の測定値データＤ１（本例では、２つの測定値データＤ１）の値に基づいて実効値を特定し、特定した値を測定値データＤ２として記憶部６に順次記憶させる（「測定部によって測定された測定値に基づいて測定値データを生成する」との処理の一例）。
【００３８】
この結果、例えば、図２に実線Ｌで示すように電圧値の実効値（以下、単に「実効値」ともいう）が変動したときには、操作部３の操作によって処理の開始を指示されて測定値データＤ２の生成・記憶を開始した時点ｔ０から、操作部３の操作によって処理の終了を指示されて測定値データＤ２の生成・記憶を終了した時点ｔ４までの時間ＴＮの間に１０ｍｓ間隔で特定された実効値が測定値データＤ２としてそれぞれ記憶部６に記憶された状態となる。
【００３９】
一方、処理部５は、測定値データＤ２の生成・記憶の上記のような処理と並行して、特定した実効値が動作条件データＤ０に記録されているしきい値Ｖｔを下回ったか否か（イベントが発生したか否か）を監視しつつ、評価用データＤ３を生成する処理を実行する。具体的には、図２に示すように、一例として、測定値データＤ２の生成・記憶を開始した時点ｔ０から時間Ｔａが経過した時点ｔ１ｓから時点ｔ１ｅまで、電源ライン１０に接続されている電動機の始動などに起因して電源ライン１０の電圧が低下したものとする。
【００４０】
この際に、処理部５は、図３に示すように、時点ｔ１０ｂに測定部２から出力された測定値データＤ１と、時点ｔ１１ａに測定部２から出力された測定値データＤ１とに基づいて特定される測定値データＤ２の値（実効値）である電圧値Ｖ１１ａがしきい値Ｖｔを下回り、時点ｔ１１ａにおいて電圧ディップが発生した（イベントが発生した）と判定する（「第１の処理」における「開始時点」を特定する処理の一例）。
【００４１】
また、処理部５は、しきい値Ｖｔを下回った最初の測定値データＤ２（この例では、時点ｔ１１ａにおいて生成された測定値データＤ２の値である電圧値Ｖ１１ａ）の値を、時点ｔ１０ｂから時点ｔ１１ａまでの単位時間Ｔｓ１（「予め規定された第２の時間」の一例、本例では、１０ｍｓ）の「代表値」として特定する（「第３の処理」における「代表値」を特定する処理の一例）。さらに、処理部５は、しきい値Ｖｔを下回った最初の測定値データＤ２の値（実効値：電圧値Ｖ１１ａ）を、その時点における「ピーク値（最小値）」として特定する。
【００４２】
また、処理部５は、時点ｔ１１ａに測定部２から出力された測定値データＤ１と、時点ｔ１１ｂに測定部２から出力された測定値データＤ１とに基づいて特定される測定値データＤ２の値（実効値）である電圧値Ｖ１１ｂもしきい値Ｖｔを下回っていると判定する。
【００４３】
この際に、処理部５は、時点ｔ１１ｂにおいて特定された測定値データＤ２の値（実効値：電圧値Ｖ１１ｂ）を、時点ｔ１１ａから時点ｔ１１ｂまでの単位時間Ｔｓ１の「代表値」として特定する（「第３の処理」における「代表値」を特定する処理の他の一例）。また、処理部５は、時点ｔ１１ｂ以前に特定された「ピーク値（最小値：この例では、時点ｔ１１ａにおいて特定された測定値データＤ２の値である電圧値Ｖ１１ａ）」と、時点ｔ１１ｂにおいて新たに特定された測定値データＤ２の値（実効値：電圧値Ｖ１１ｂ）とを比較し、両「実効値」のうちの値が小さな一方（この例では、電圧値Ｖ１１ｂ）を、その時点における「ピーク値（最小値）」として特定する。
【００４４】
さらに、処理部５は、時点ｔ１１ｂに測定部２から出力された測定値データＤ１と、時点ｔ１２ａに測定部２から出力された測定値データＤ１とに基づいて特定される測定値データＤ２の値（実効値）である電圧値Ｖ１２ａもしきい値Ｖｔを下回っていると判定する。
【００４５】
この際に、処理部５は、時点ｔ１２ａにおいて特定された測定値データＤ２の値（実効値：電圧値Ｖ１２ａ）を、時点ｔ１１ｂから時点ｔ１２ａまでの単位時間Ｔｓ１の「代表値」として特定する（「第３の処理」における「代表値」を特定する処理のさらに他の一例）。また、処理部５は、時点ｔ１２ａ以前に特定された「ピーク値（最小値：この例では、時点ｔ１１ｂにおいて特定された測定値データＤ２の値である電圧値Ｖ１１ｂ）」と、時点ｔ１２ａにおいて新たに特定された測定値データＤ２の値（実効値：電圧値Ｖ１２ａ）とを比較し、両「実効値」のうちの値が小さな一方（この例では、電圧値Ｖ１２ａ）を、その時点における「ピーク値（最小値）」として特定する。
【００４６】
この後、処理部５は、新たな測定値データＤ２の生成・記憶を完了する都度、上記のような処理を繰り返し実行する。
【００４７】
また、処理部５は、時点ｔ１（ｎ−１）ｂに測定部２から出力された測定値データＤ１と、時点ｔ１ｎａに測定部２から出力された測定値データＤ１とに基づいて特定される測定値データＤ２の値（実効値）である電圧値Ｖ１ｎａの生成・記憶を完了したときに、電圧値Ｖ１ｎａがしきい値Ｖｔを下回っていると判定し、時点ｔ１（ｎ−１）ｂから時点ｔ１ｎａまでの単位時間Ｔｓ１の「代表値」として特定すると共に（「第３の処理」における「代表値」を特定する処理のさらに他の一例）、時点ｔ１ｎａ以前に特定された「ピーク値（最小値：この例では、図２，４に示す時点ｔ１ｍにおいて特定された測定値データＤ２の値である電圧値Ｖ１）」の方が電圧値Ｖ１ｎａよりも小さな値であると判定して電圧値Ｖ１をその時点における「ピーク値（最小値）」として特定する。
【００４８】
さらに、処理部５は、時点ｔ１ｎａに測定部２から出力された測定値データＤ１と、時点ｔ１ｎｂに測定部２から出力された測定値データＤ１とに基づいて特定される測定値データＤ２の値（実効値）である電圧値Ｖ１ｎｂがしきい値Ｖｔを下回っていないと判定したときに、直前に測定値データＤ２を生成・記憶させた時点（測定値データＤ２の値がしきい値Ｖｔを下回っていた最後の時点：この例では、時点ｔ１ｎａ）が、電圧ディップが発生している状態の「終了時点」であると特定する（「第１の処理」における「終了時点」を特定する処理の一例）。
【００４９】
この際に、処理部５は、その時点において特定されている「ピーク値（最小値）」である電圧値Ｖ１を、「開始時点」の一例である時点ｔ１１ａから「終了時点」の一例である時点ｔ１ｎａまでの時間Ｔ１（「第１の時間」の一例）内に測定された「実効値」のなかの「ピーク値（最小値）」として特定する（「第２の処理」の一例）。
【００５０】
また、処理部５は、上記の「開始時点」の一例である時点ｔ１１ａから「終了時点」の一例である時点ｔ１ｎａまでの時間Ｔ１内において、上記のような各処理と並行して、単位時間Ｔｓ１毎の「代表値」を特定する都度、電圧ディップの大きさの程度（「測定値データＤ２の値がしきい値Ｖｔを下回る」との条件を満たす程度）を示す「評価値」を特定する処理を実行する（「第４の処理」における「評価値」を特定する処理の一例）。
【００５１】
具体的には、測定値データＤ２の値（実効値）が最初にしきい値Ｖｔを下回った時点ｔ１１ａにおいては、電圧値Ｖ１１ａに単位時間Ｔｓ１を乗じた値を「評価値」とし、時点ｔ１１ｂにおいては、電圧値Ｖ１１ｂに単位時間Ｔｓ１を乗じた値を「評価値」に加算し、時点ｔ１２ａにおいては、電圧値Ｖ１２ａに単位時間Ｔｓ１を乗じた値を「評価値」に加算し、かつ時点ｔ１２ｂにおいては、電圧値Ｖ１２ｂに単位時間Ｔｓ１を乗じた値を「評価値」に加算する。
【００５２】
また、時点ｔ１（ｎ−１）ａにおいては、電圧値Ｖ１（ｎ−１）ａに単位時間Ｔｓ１を乗じた値を「評価値」に加算し、時点ｔ１（ｎ−１）ｂにおいては、電圧値Ｖ１（ｎ−１）ｂに単位時間Ｔｓ１を乗じた値を「評価値」に加算し、かつ測定値データＤ２の値（実効値）が最後にしきい値Ｖｔを下回った時点ｔ１ｎａにおいては、電圧値Ｖ１ｎａに単位時間Ｔｓ１を乗じた値を「評価値」に加算する。このように、「代表値」に単位時間Ｔｓ１を乗じた値を「評価値」として順次加算することにより、図４に斜線で塗り潰した領域の面積に相当する「評価値」が特定される。
【００５３】
この「評価値」は、同図に示すように、時点ｔ１１ａから時点ｔ１ｎａまでの時間Ｔ１の間における測定値データＤ２の値（実効値）の変化に即した値、すなわち、時間Ｔ１に亘って発生していた電圧ディップの大きさの程度（「測定値データＤ２の値がしきい値Ｖｔを下回る」との条件を満たす程度）に即した値となっている。
【００５４】
また、処理部５は、特定した（積算した）「評価値」を、時間Ｔ１の間の「ピーク値（最小値：この例では、電圧値Ｖ１）」に関連付けて評価用データＤ３を生成し、生成した評価用データＤ３を記憶部６に記憶させる。さらに、処理部５は、時点ｔ１１ａ〜ｔ１ｎａの時間Ｔ１の間に発生した電圧ディップが、処理を開始してから最初に発生した電圧ディップであるため、「評価値」が１番目に大きい電圧ディップであると特定して、「ピーク値（最小値）」や「評価値」に関連付けて評価用データＤ３に記録する。
【００５５】
また、処理部５は、評価用データＤ３に基づき、時間Ｔ１の間の「ピーク値（最小値：電圧値Ｖ１）と、特定した「評価値」と、時間Ｔ１の長さと、電圧ディップの大きさの程度の順位（「評価値」の大きさの順位：時点ｔ０から電圧ディップが１回しか発生していないこの時点においては、「順位：１位」）とを特定可能に表示部４に表示させる（「報知」の一例）。
【００５６】
一方、図２に示す例では、時点ｔ１１ａ〜ｔ１ｎａの時間Ｔ１だけでなく、時点ｔ２１ａ〜ｔ２ｎａの時間Ｔ２や、時点ｔ３１ａ〜ｔ３ｎａの時間Ｔ３においても電圧ディップに起因して測定値データＤ２の値（実効値）がしきい値Ｖｔを下回っている。したがって、処理部５は、時点ｔ２１ａ〜ｔ２ｎａの時間Ｔ２や、時点ｔ３１ａ〜ｔ３ｎａの時間Ｔ３においても、時点ｔ１１ａ〜ｔ１ｎａの時間Ｔ１内において実行した各処理と同様の手順で、「代表値」の特定、「評価値」の演算、および「ピーク値（最小値）」の特定などを実行する。
【００５７】
この結果、時点ｔ２１ａ〜ｔ２ｎａの時間Ｔ２に亘って発生した電圧ディップの大きさの程度（「測定値データＤ２の値がしきい値Ｖｔを下回る」との条件を満たした程度）を示す「評価値」が、時間Ｔ２内の「ピーク値（最小値：この例では、時点ｔ２ｍにおいて生成された測定値データＤ２の値である電圧値Ｖ２）」に関連付けられて評価用データＤ３に記録される。また、時点ｔ３１ａ〜ｔ３ｎａの時間Ｔ３に亘って発生した電圧ディップの大きさの程度（「測定値データＤ２の値がしきい値Ｖｔを下回る」との条件を満たした程度）を示す「評価値」が、時間Ｔ３内の「ピーク値（最小値：この例では、時点ｔ３ｍにおいて生成された測定値データＤ３の値である電圧値Ｖ３）」に関連付けられて評価用データＤ３に記録される。
【００５８】
この場合、本例の測定装置１では、処理部５が、時間Ｔ２に亘って発生した電圧ディップについての「評価値」の特定が完了したとき、および時間Ｔ３に亘って発生した電圧ディップについての「評価値」の特定が完了したときに、特定した「評価値」と、それ以前に発生した電圧ディップについての「評価値」とを比較して電圧ディップの大きさの程度の順位（対応する「評価値」の大きさの順位）を特定する。
【００５９】
具体的には、処理部５は、まず、時間Ｔ２に亘って発生した電圧ディップについての「評価値」の特定が完了したときに、最先の測定値データＤ２が特定された時点（本例では、時点ｔ０）から、時間Ｔ２に亘って発生した電圧ディップについての「評価値」の特定を完了した時点ｔ２ｎｂ（時点ｔ２ｎａよりも単位時間Ｔｓ１だけ後の時点：「最新の測定値が測定された時点」の一例）までの時間Ｔｂ（「第３の時間」の一例）内に、電圧ディップが発生した時間Ｔ１，Ｔ２の２つが存在すると判定する（「第１の時間が複数存在するとき」の一例）。
【００６０】
この際に、処理部５は、時間Ｔ１に亘って発生した電圧ディップの「評価値」が、時間Ｔ２に亘って発生した電圧ディップの「評価値」よりも大きいと判別し、時間Ｔ１に亘って発生した電圧ディップの大きさの程度の順位（「評価値」の大きさの順位）を「第１位」とし、かつ時間Ｔ２に亘って発生した電圧ディップの大きさの程度の順位（「評価値」の大きさの順位）を「第２位」と特定し、対応する「ピーク値（最小値）」や「評価値」に関連付けて評価用データＤ３に記録する。
【００６１】
また、処理部５は、記録した評価用データＤ３に基づき、時間Ｔ１に亘って発生した電圧ディップについての「ピーク値（最小値）」、「評価値」および「順位」と並べて、時間Ｔ２に亘って発生した電圧ディップについての「ピーク値（最小値）」、「評価値」および「順位」を特定可能に表示部４に表示させる（「報知」の他の一例）。
【００６２】
さらに、処理部５は、時間Ｔ３に亘って発生した電圧ディップについての「評価値」の特定が完了したときに、最先の測定値データＤ２が特定された時点（本例では、時点ｔ０）から、時間Ｔ３に亘って発生した電圧ディップについての「評価値」の特定を完了した時点ｔ３ｎｂ（時点ｔ３ｎａよりも単位時間Ｔｓ１だけ後の時点：「最新の測定値が測定された時点」の他の一例）までの時間Ｔｃ（「第３の時間」の他の一例）内に、電圧ディップが発生した時間Ｔ１〜Ｔ３の３つが存在すると判定する（「第１の時間が複数存在するとき」の他の一例）。
【００６３】
この際に、処理部５は、時間Ｔ３に亘って発生した電圧ディップの「評価値」が、時間Ｔ２に亘って発生した電圧ディップの「評価値」よりも大きいものの、時間Ｔ１に亘って発生した電圧ディップの「評価値」より小さいと判別し、時間Ｔ１に亘って発生した電圧ディップの大きさの程度の順位（「評価値」の大きさの順位）を「第１位」とし、時間Ｔ２に亘って発生した電圧ディップの大きさの程度の順位（「評価値」の大きさの順位）を「第３位」とし、かつ時間Ｔ３に亘って発生した電圧ディップの大きさの程度の順位（「評価値」の大きさの順位）を「第２位」と特定し、対応する「ピーク値（最小値）」や「評価値」に関連付けて評価用データＤ３に記録する。
【００６４】
また、処理部５は、記録した評価用データＤ３に基づき、時間Ｔ１に亘って発生した電圧ディップについての「ピーク値（最小値）」、「評価値」および「順位」や、時間Ｔ２に亘って発生した電圧ディップについての「ピーク値（最小値）」、「評価値」および「順位」と並べて、時間Ｔ３に亘って発生した電圧ディップについての「ピーク値（最小値）」、「評価値」および「順位」を特定可能に表示部４に表示させる（「報知」のさらに他の一例）。
【００６５】
このように、本例の測定装置１では、処理部５が上記のような各処理を並行して繰り返し実行することにより、操作部３の操作によって処理の開始を指示された時点ｔ０から、操作部３の操作によって処理の終了を指示された時点ｔ４までの時間ＴＮの間に測定された電圧値（実効値）の変化を特定可能な複数の測定値データＤ２と共に、時間Ｔ１，Ｔ２，Ｔ３の３回に亘って発生した電圧ディップの大きさの程度（「測定値データＤ２の値がしきい値Ｖｔを下回る」との条件を満たした程度）をそれぞれ特定可能な評価用データＤ３が記憶部６に記憶される。
【００６６】
なお、測定値データＤ２の生成・記憶の処理と並行して評価用データＤ３の生成・記憶（「ピーク値（最小値）」や「評価値」の特定、および「評価値」の大きさの順位の特定（電圧ディップの大きさの程度の順位の特定））を実行する例について説明したが、本例の測定装置１では、測定部２からの測定値データＤ１に基づく測定値データＤ２の生成・記憶を実行しているときには評価用データＤ３の生成・記憶を行わずに、上記の例における時間ＴＮに亘って測定値データＤ２の生成・記憶を完了したとき（測定処理を完了したとき）に、記憶部６に記憶されている複数の測定値データＤ２を対象とするデータ処理を実行して評価用データＤ３の生成や順位の特定を実行させることもできる。
【００６７】
また、電圧ディップの有無の監視を目的とする処理を例に挙げて説明したが、本例の測定装置１では、電圧スウェル（電圧サージ）の有無の監視を目的として上記の処理と同様の処理を実行することもできる。なお、電圧スウェルの有無の監視を目的とする処理に際しては、処理の開始に先立ち、測定項目として「電圧値（実効値）」を指定すると共に、イベント発生条件として電圧スウェルが発生したと判定するしきい値（「しきい値を超えたときにイベント（電圧スウェル）が発生したと判定する」との動作条件）を設定する（「予め規定された第２の値を超えるとの条件」が「予め規定された条件」としての「少なくとも一方の条件」として規定された状態の一例）。
【００６８】
また、電圧スウェルの有無の監視を目的とする処理時には、処理部５は、「第２の処理」に際して、電圧値（実効値：測定値データＤ２の値）がしきい値を超えている「第１の時間」内に測定された測定値のなかの「最大値」を「ピーク値」として特定する。これにより、電圧ディップの有無を監視した上記の使用形態のときと同様にして、操作部３の操作によって処理の開始を指示された時点から処理の終了を指示された時点までの間に測定された電圧値（実効値）の変化を特定可能な複数の測定値データＤ２と共に、発生した電圧スウェルの大きさの程度（「測定値データＤ２の値がしきい値Ｖｔを下回る」との条件を満たした程度）を特定可能な評価用データＤ３が記憶部６に記憶される。
【００６９】
さらに、詳細な説明を省略するが、電圧トランジェントの有無の監視を目的として、電圧トランジェントが発生したと判定する上限値および下限値（しきい値）を設定することにより、条件を満たす電圧変動が発生したかを監視することもできる。また、「測定値」は、電圧値に限定されず、電流値や電力量などを測定して測定値データＤ２や評価用データＤ３を生成・記憶させることもできる。
【００７０】
このように、この測定装置１では、処理部５が、「測定値（測定値データＤ２の値：本例では、電圧値の実効値）」が「予め規定された条件」としての「少なくとも一方の条件」を満たす状態の「開始時点」および「終了時点」をそれぞれ特定する「第１の処理」と、「開始時点」から「終了時点」までの「第１の時間」内に測定された「測定値」のなかの「少なくとも一方の条件」を満たす「ピーク値」を特定する「第２の処理」と、「第１の時間」内の「第１の時間」よりも短い予め規定された「第２の時間」毎に「第２の時間」内に測定された「測定値」の「代表値」をそれぞれ特定する「第３の処理」と、「第２の時間」および各「代表値」に基づいて「第１の時間」内に測定された各「測定値」が「少なくとも一方の条件」を満たす程度を示す「評価値」を特定する「第４の処理」とを実行し、「評価値」を「ピーク値」に関連付けて評価用データＤ３を生成する。また、この測定装置１では、「測定データ処理装置」と、予め規定された周期で測定を行う測定部２と、測定部２を制御して測定を実行させ、かつ測定部２によって測定された「測定値」に基づいて測定値データＤ２を生成すると共に評価用データＤ３を生成する処理部５とを備えている。
【００７１】
したがって、この測定装置１によれば、「測定値」が「予め規定された条件（少なくとも一方の条件）」を満たしていた「第１の時間」内における「第２の時間」毎の各「代表値」の大きさが反映された「評価値」が特定されて評価用データＤ３が生成されるため、単に「ピーク値」の大きさだけが特定・記憶される構成の装置とは異なり、「測定値」の変動の大きさの程度（「少なくとも一方の条件」を満たした程度）を的確に把握可能な情報を提供することができる。
【００７２】
また、この測定装置１によれば、処理部５が、測定値データＤ２における各「測定値」のうちの最先の「測定値」が測定された時点から最新の「測定値」が測定された時点までの「第３の時間」内に「第１の時間」が複数存在するときに、各「第１の時間」毎の「評価値」の大きさの順位を特定し、特定した順位を「第１の時間」毎の「評価値」および「第１の時間」毎の「ピーク値」にそれぞれ関連付けて評価用データＤ３を生成することにより、各「評価値」の大きさの順位を確実かつ容易に把握させることができる。
【００７３】
さらに、この測定装置１によれば、処理部５が、評価用データＤ３に基づき、各「測定値」が「予め規定された条件」としての「少なくとも一方の条件」を満たす程度が最も高い「第１の時間」の「ピーク値」と「第１の時間」とを少なくとも特定可能に報知することにより、この種の測定値データの分析に不慣れな者に対しても「測定値」の変動の大きさの程度を確実かつ容易に把握させることができる。
【００７４】
また、この測定装置１によれば、処理部５が、測定値データＤ２を生成する処理と並行して評価用データＤ３を生成する処理を実行することにより、測定値データＤ２の生成が完了したときに、その時点までの測定値の変動の大きさの程度を把握し得る評価用データＤ３の生成も完了しているため、「測定値」の変動の状態をリアルタイムに把握させることができる。
【００７５】
なお、「測定データ処理装置」および「測定装置」の構成については、上記の測定装置１の構成の例に限定されない。例えば、商用交流の電圧値（実効値）の測定に際して、商用交流の１周期の１／２に対応する時間間隔（図３における単位時間Ｔｓ１の周期）で測定部２から新たな測定値データＤ１が出力される都度、商用交流の１周期分の測定値データＤ１（上記の例では、２つの測定値データＤ１，Ｄ１）に基づいて「測定値」としての電圧値を特定して測定値データＤ２を生成する例について説明したが、「測定値」を記録する「予め規定された周期」は、この例に限定されない。
【００７６】
具体的には、図５に示すように、例えば、商用交流の電圧値（実効値）の測定に際して、測定部２から出力された２つの測定値データＤ１，Ｄ１に基づき、商用交流の１周期に対応する時間間隔（時間Ｔｓ２の周期：「予め規定された周期」の他の一例）で「測定値」として電圧値を特定して測定値データＤ２を生成・記憶してもよい。なお、同図および後に参照する図６において図２〜４の例と同一の要素については同一の符号を付して重複する説明を省略する。このような処理を行った場合においても、単位時間Ｔｓ１の周期で測定値データＤ２の生成・記憶を実行した上記の例と同様の効果を奏することができる。
【００７７】
また、「第１の処理」から「第４の処理」を実行して評価用データＤ３を生成・記憶させる構成を例に挙げて説明したが、そのような処理に代えて、以下のような処理を実行して「評価用データ」を生成する構成を採用することができる。
【００７８】
具体的には、例えば電圧ディップの有無の監視に際しては、図６に示すように、「測定値」としての測定値データＤ２の値（電圧値）が「第１の値」としてのしきい値Ｖｔを下回っている状態（「予め規定された条件」としての「少なくとも一方の条件」を満たす状態」の一例）の「開始時点」である時点ｔ１１ａおよび「終了時点」である時点ｔ１ｎａをそれぞれ特定する「処理Ａ」と、時点ｔ１１ａから時点ｔ１ｎａまでの時間Ｔ１（「第１の時間」の一例）を特定する「処理Ｂ」と、時間Ｔ１内に測定された各測定値データＤ２の値のなかの「最小値」（同図の例では、時点ｔ１ｍにおける電圧値Ｖ１）を「ピーク値」として特定する「処理Ｃ」と、時間Ｔ１に電圧値Ｖ１を乗じた値を「評価値」として特定する「処理Ｄ」（「第１の時間およびピーク値に基づいて第１の時間内に測定された各測定値が予め規定された条件としての少なくとも一方の条件を満たす程度を示す評価値を特定する」との処理の一例）とを実行し、特定した「評価値」を「ピーク値」に関連付けて評価用データＤ３を生成する。
【００７９】
この評価用データＤ３に記録される「評価値」は、同図に斜線で塗り潰したように、「ピーク値」の大きさ（時点ｔ１ｍにおける電圧値Ｖ１の大きさ）だけでなく、測定値データＤ２の値がしきい値Ｖｔを下回っていた時間Ｔ１の長さが反映された値、すなわち、時間Ｔ１に亘って発生していた電圧ディップの大きさの程度（「測定値データＤ２の値がしきい値Ｖｔを下回る」との条件を満たす程度）に即した値となっている。
【００８０】
また、図示を省略するが、電圧スウェルの有無の監視に際しては、「測定値」としての電圧値が「第２の値」としての「しきい値」を超えている状態（「予め規定された条件としての少なくとも一方の条件を満たす状態」の他の一例）の「開始時点」および「終了時点」をそれぞれ特定する「処理Ａ」と、「開始時点」から「終了時点」までの「第１の時間」を特定する「処理Ｂ」と、「第１の時間」内に測定された各「測定値」のなかの「最大値」を「ピーク値」として特定する「処理Ｃ」と、「第１の時間」に「ピーク値」を乗じた値を「評価値」として特定する「処理Ｄ」（「第１の時間およびピーク値に基づいて第１の時間内に測定された各測定値が予め規定された条件としての少なくとも一方の条件を満たす程度を示す評価値を特定する」との処理の他の一例）とを実行し、特定した「評価値」を「ピーク値」に関連付けて評価用データＤ３を生成する。
【００８１】
このような構成を採用した「測定データ処理装置」、およびそのような「測定データ処理装置」を備えた「測定装置」によれば、「測定値」が「予め規定された条件」を満たしていた「第１の時間」の長さが反映された「評価値」が特定されて評価用データＤ３が生成されるため、単に「ピーク値」の大きさだけが特定・記憶される構成の装置とは異なり、「測定値」の変動の大きさの程度（少なくとも一方の条件を満たした程度）を的確に把握可能な情報を提供することができる。
【００８２】
また、「予め規定された条件」としての「少なくとも一方の条件」として、測定値データＤ２の値がしきい値Ｖｔを下回るとの条件（「測定値」が「第１の値」を下回るとの条件）、および測定値データＤ２の値が「しきい値」を超えるとの条件（「測定値」が「第２の値」を超えるとの条件）の双方を設定可能な構成の測定装置１を例に挙げて説明したが、「測定値」が「第１の値」を下回るとの条件、および「測定値」が「第２の値」を超えるとの条件のいずれか一方だけを設定可能な構成を採用することもできる。
【００８３】
さらに、「ピーク値（最小値または最大値）」と、特定した「評価値」と、「第１の時間」の長さと、電圧ディップ等の大きさの程度の順位（「評価値」の大きさの順位）とを特定可能に表示部４に表示させる構成を例に挙げて説明したが、「報知」との処理は、上記の処理の例に限定されず、電圧ディップ等の「発生回数」や、電圧ディップ等の「発生時刻」などを「ピーク値」や「評価値」などと共に表示させる構成を採用することもできる。また、表示に代えて（または、表示に加えて）各種の情報を印刷したり、音声メッセージとして出力したりする処理を「報知」として実行する構成を採用することもできる。
【００８４】
また、「測定データ処理装置」を一体的に備えた測定装置１の構成を例に挙げて説明したが、「測定データ処理装置」を「測定値データを生成する装置」とは別体に構成することもできる。具体的には、一例として、上記の例における評価用データＤ３を生成する処理を実行するプログラムをパーソナルコンピュータやスマートフォンなどにインストールすることにより、パーソナルコンピュータやスマートフォンなどを「測定データ処理装置」として動作させて「評価用データ」を生成させることができる。
【符号の説明】
【００８５】
１  測定装置
２  測定部
３  操作部
４  表示部
５  処理部
６  記憶部
Ｄ０  動作条件データ
Ｄ１，Ｄ２  測定値データ
Ｄ３  評価用データ
ｔ０，ｔ１ｓ，ｔ１０ａ，ｔ１０ｂ，ｔ１１ａ，ｔ１１ｂ・・ｔ４  時点
Ｔ１〜Ｔ３，Ｔａ〜Ｔｃ，ＴＮ  時間
Ｔｓ１，Ｔｓ２  単位時間
Ｖ１，Ｖ２・・Ｖ１１ａ，Ｖ１１ｂ・・Ｖ１２ａ，Ｖ１２ｂ・・  電圧値
Ｖｔ  しきい値
【図１】
2018121427.tif 000003
【図２】
2018121427.tif 000004
【図３】
2018121427.tif 000005
【図４】
2018121427.tif 000006
【図５】
2018121427.tif 000007
【図６】
2018121427.tif 000008